(57)【特許請求の範囲】
【請求項１】
頭部に装着されるヘッドバンド部と、
上記ヘッドバンド部の少なくとも一端側に取り付けられ、スピーカーユニットが内蔵されたヘッドホン本体部と、
耳に掛けて装着時のずれを防止する耳掛け部と、を設け、
上記耳掛け部は、上記ヘッドバンド部の上部から下方に向って延在されると共に、耳介と頭部の接合部に掛けられるアームが先端に形成されている
ヘッドホン装置。
【請求項２】
頭部に装着されるヘッドバンド部と、
上記ヘッドバンド部の少なくとも一端側に取り付けられ、スピーカーユニットが内蔵されたヘッドホン本体部と、
耳に掛けて装着時のずれを防止する耳掛け部と、を設け、
上記耳掛け部は、上記ヘッドバンド部の内側に設けられているサスペンダーから延長されると共に、耳介と頭部の接合部に掛けられるアームが先端に形成されている
ヘッドホン装置。
【発明の詳細な説明】
【０００１】
【発明の属する技術分野】
本発明はヘッドホン装置に関し、特に装着時のずれを防止し装着性の安定化を図ったものである。
【０００２】
【従来の技術】
先ず、図７において従来のヘッドホン装置の構成を説明する。
このヘッドホン装置１は、頭部に装着されるヘッドバンド部２と、このヘッドバンド部２の一端側に取り付けられたヘッドホン本体部３とにより構成されている。
【０００３】
ヘッドバンド部２はアーチ状のヘッドバンド４と、このヘッドバンド４の一端に連結されるハンガー５とによりなり、このハンガー５の下端部内側にヘッドホン本体部３が取り付けられている。
ハンガー５はヘッドバンド４に対しスライド式に伸縮調整可能となされており、即ちこのハンガー５をヘッドバンド４に対し伸縮調整することによりヘッドホン本体部３の位置を自由に調整できるようになっている。
【０００４】
ヘッドホン本体部３は、ハンガー５に固定されるハウジング６にスピーカーユニットを内蔵して構成されており、このスピーカユニットの放音面を覆うようにスポンジ状のイヤーパッド７が取り付けられている。
８はコードであり、ヘッドホン本体部３のハウジング６に内蔵されるスピーカーユニットはこのコード８を介して音響機器と電気的に接続される。
【０００５】
このように構成されるヘッドホン装置１は、図８に示す如くヘッドバンド部２を頭に載せ、ヘッドホン本体部３のイヤーパッドを耳ｅに当てる状態で装着して使用するものである。
【０００６】
【発明が解決しようとする課題】
しかしながら、以上の如き従来のヘッドホン装置は装着時にずれが生じ易く、特に動いている状態で長時間装着していると振動によってヘッドホン装置が頭部からずれ落ちてしまうようなことが多々あった。
【０００７】
本発明はこのような課題を解決するためになされたものであり、装着時のずれを効果的に防止できるヘッドホン装置を提供することを目的としている。
【０００８】
【課題を解決するための手段】
上記の目的を達成するために本発明は、頭部に装着されるヘッドバンド部と、このヘッドバンド部の少なくとも一端側に取り付けられ、スピーカーユニットが内蔵されたヘッドホン本体部と、耳に掛けて装着時のずれを防止する耳掛け部と、を設け、耳掛け部は、ヘッドバンド部の上部から下方に向って延在され、又は、ヘッドバンド部の内側に設けられているサスペンダーから延長されると共に、耳介と頭部の接合部に掛けられるアームが先端に形成されているものである。
【０００９】
この耳掛け部を設けたことにより本発明のヘッドホン装置では、装着時にずれが生じることはなく、安定した装着性が得られる。
【００１０】
【発明の実施の形態】
以下、本発明によるヘッドホン装置の実施の形態例について図面を参照しながら説明する。
図１は本発明によるヘッドホン装置１１の正面図である。
このヘッドホン装置１１はいわゆるヘッドセットと呼ばれるものであり、頭部に装着されるヘッドバンド部１２と、このヘッドバンド部２の一端側に取り付けられたヘッドホン本体部１３、及びこのヘッドホン本体部１３から延びるように設けられたマイクロホン装置１４とにより構成されている。
【００１１】
ヘッドバンド部１２は何れもプラスチック材により成形されるアーチ状のヘッドバンド１５と、このヘッドバンド１５の一端に連結されるハンガー１６とによりなり、このハンガー１６の下端部内側にヘッドホン本体部１３が回転可能に取り付けられている。
ハンガー１６はヘッドバンド１５に対しスライド式に伸縮調整可能となされており、即ちこのハンガー１６をヘッドバンド１５に対し伸縮調整することによりヘッドホン本体部１３の位置を自由に調整できるようになっている。
【００１２】
ヘッドホン本体部１３は、プラスチック成形品であるハウジング１７にスピーカーユニットを内蔵して構成されており、このスピーカユニットの放音面を覆うようにスポンジ状のイヤーパッド１９が取り付けられている。
２０はコードであり、ヘッドホン本体部１３のハウジング１７に内蔵されるスピーカーユニット及びマイクロホン装置１４に内蔵されるマイクロホンユニットはこのコード２０を介して音響機器と電気的に接続される。
【００１３】
そしてさらにこのヘッドホン装置１１においては、ヘッドバンド部１２のハンガー１６の内側に耳掛け部２１が設けられている。
この耳掛け部２１はハンガー１６と一体のプラスチック材により形成され、ハンガー１６の上部から下方に向かって延びるアーム２２によりなり、その先端部は図２に示すように側面から見てアーチ状に形成されている。
【００１４】
以上の如く構成されるヘッドホン装置１１は、図３に示す如くヘッドバンド部１２を頭に載せ、ヘッドホン本体部１３のイヤーパッド１９を耳ｅの耳介に当てる状態で装着して使用するものであり、このとき図３及び図４に示すように、耳掛け部２１を耳ｅの耳介に掛けることによりヘッドホン装置１１は耳ｅに対しずれることなく確実に装着される状態となる。
そして、このヘッドホン装置１１を装着した状態で動き回っても、ヘッドホン装置１１は耳掛け部２１の働きによってその装着状態で確実に保持されるので、頭部からずれ落ちることはなく、安定した装着性を得ることができる。
【００１５】
耳掛け部２１は、図２に示した形状以外にも種々の形状が考えられる。
図５に耳掛け部２１の他の形状例を示す。
即ち、同図（Ａ）は耳掛け部２１のアーム２２の先端部（耳に掛ける部分）をＣ字形とした例、同図（Ｂ）はリング形とした例である。
また、同図（Ｃ）に示すように、アーム２２の先端部で耳を挟む形状の耳掛け部２１としてもよい。
【００１６】
さらに図６は、耳掛け部２１の他の構成例を示すものである。
即ち、同図（Ａ）は、ヘッドホン本体部１３のハウジング１７から延出するように耳掛け部２１を設けた例である。
また同図（Ｂ）は、ヘッドバンド部１２の内側にサスペンダー２３が設けられているヘッドホン装置において、サスペンダー２３から延長して耳掛け部２１を設けた例である。
さらに同図（Ｃ）に示すように、ヘッドホン本体部１３のイヤーパッド１９の装着面に耳掛け部２１としてアーチ状の突出部２４を設けた構成としてもよい。この場合、耳掛け部２１としての突出部２４は、イヤーパッド１９と一体に形成するか、あるいは別体のものをイヤーパッド１９に接着して形成してもよい。
【００１７】
以上、本発明の実施の形態例について説明したが、本発明はこの例に限定されるものではない。
例えば、上記の例ではヘッドバンド部１２の一端側にのみヘッドホン本体部１３を有するヘッドホン装置に本発明を適用した例を示したが、本発明はヘッドバンド部１２の両端側にヘッドホン本体部１３を有するヘッドホン装置にも適用できるものである。この場合、ヘッドバンド部１２の両端側に耳掛け部２１を設けると特に効果が大きい。
【００１８】
また、耳掛け部２１の構成及び形状も、上記の例に限るものではない。更に、耳掛け部２１は、これを着脱自在としてもよい。
【００１９】
【発明の効果】
以上の説明で明らかな如く本発明のヘッドホン装置では、耳掛け部の働きにより装着時のずれを効果的に防ぐことができるので、安定した装着性が得られるものである。
【図面の簡単な説明】
【図１】本発明によるヘッドホン装置の実施例を示す正面図である。
【図２】実施例のヘッドホン装置における耳掛け部の形状を示す側面図である。
【図３】実施例のヘッドホン装置の装着状態を示す側面図である。
【図４】同、要部の正面図である。
【図５】耳掛け部の他の構成例の説明図である。
【図６】耳掛け部の他の形状例の説明図である。
【図７】従来例のヘッドホン装置を示す正面図である。
【図８】従来例のヘッドホン装置の装着状態を示す側面図である。
【符号の説明】
１１‥‥ヘッドホン装置、１２‥‥ヘッドバンド部、１３‥‥ヘッドホン本体部、２１‥‥耳掛け部
【図１】
0004288836.tif 000002
【図２】
0004288836.tif 000003
【図３】
0004288836.tif 000004
【図４】
0004288836.tif 000005
【図５】
0004288836.tif 000006
【図６】
0004288836.tif 000007
【図７】
0004288836.tif 000008
【図８】
0004288836.tif 000009